(57)【要約】【課題】  木管楽器用の消音具であって、吹奏者に疲労を与えたりアンブッシャを崩すことがなく、また自然な吹奏感と木管楽器本来の音程やピッチ，音質を保ちつつ、高い消音効果が得られるようにする。【解決手段】  消音具２２と副消音具２４を、それぞれ網糸をランダムに交錯させてその内部にラビリンス状の空隙を連続させた三次元網目状の多孔質体で円柱体に形成する。３つの消音具２２をホルダ２３に内挿して消音具ユニット２０とする。消音具ユニット２０を、吹き口４ａとオクターブキー孔８との間の通気孔５ｂに着脱自在に装着する。３つの副消音具２４をホルダ２５に内挿して副消音具ユニット２１とする。副消音具ユニット２１を、第１音孔８と第２音孔１１との間の通気孔５ｂに着脱自在に装着する。【選択図】図１
2010085960.tif 000002
【特許請求の範囲】
【請求項１】
木管楽器の吹き口近傍に設けられる木管楽器用消音具であって、
該消音具は、網糸をランダムに交錯させてその内部にラビリンス状の空隙を連続させた三次元網目状の多孔質体を円柱体に形成してなり、
この消音具が、前記吹き口と該吹き口の楽器本体側に連続する第１音孔との間の通気孔の内部に、円柱体形状を通気孔の軸線方向へ向けて着脱自在に装着される
ことを特徴とする木管楽器用消音具。
【請求項２】
前記第１音孔と該第１音孔の楽器本体側に連続する第２音孔との間の通気孔の内部に、前記消音具と同様に三次元網目状の多孔質体を円柱体に形成した副消音具が、円柱体形状を通気孔の軸線方向へ向けて着脱自在に装着される
ことを特徴とする請求項１に記載の管楽器用弱音具。
【請求項３】
前記消音具は、前記通気孔または前記吹込み孔に密着して設けられる円筒状のホルダに内挿されている
ことを特徴とする請求項１または２に記載の木管楽器用消音具。
【請求項４】
前記消音具は、網目の密度と網糸の太さのいずれか一方または双方が異なる２種類の三次元網目状の多孔質体を複数個直列に配置される
ことを特徴とする請求項１〜３のいずれかに記載の木管楽器用消音具。
【請求項５】
前記網糸を金属や合成樹脂，植物繊維のいずれかで形成し、該網糸をランダムに交錯させて形成される網目のそれぞれを３ｍｍ２〜１５ｍｍ２の面積となすとともに、前記消音具としての多孔質体の長さを８ｍｍ〜２０ｍｍに設定した
ことを特徴とする請求項１〜４のいずれかに記載の木管楽器用消音具。
【発明の詳細な説明】
【技術分野】
【０００１】  本発明は、サックスやリコーダ，クラリネット，オーボエ，ファゴット等の木管楽器を吹奏する際に、木管楽器本来の吹奏感や音程，ピッチ，音質（音色）を損なうことなく放出音量を簡便に小さく抑制することのできる木管楽器用消音具に関する。
【背景技術】
【０００２】  サックス（サクソフォン＝ＳＡＸＯＰＨＯＮＥ）等を始めとする木管楽器の吹奏音は相当な音量であり、住宅や屋外で練習をする場合には、周辺の騒音とならないよう音量を極力小さくすることが望まれる。
この対策として、木管楽器のマウスピースを除くほぼ全体を筺体で覆い、該筺体に設けた手入れ口より演奏者の手を入れて木管楽器のキーを操作できるようにした密閉型の木管楽器用消音具（例えば、特許文献１参照）や、マウスピースとの接合部分管内にマイクとスピーカを配設し、このマイクで集音した吹奏音の正位相周波数分布音を逆位相周波数分布音へ変換処理させるコンピュータを別途配設し、楽器から発生した生の正位相周波数分布音と前記接合部分に設けたスピーカからコンピュータで人工的に作り出した逆位相周波数分布音を楽器内でぶつけ重ね合わせる事で双方の音を相殺減衰させ消音する電気式の管楽器用消音機（例えば、特許文献２参照）が提案されている。【０００３】  しかしながら、密閉型である特許文献１の木管楽器用消音具は、▲１▼密閉型ゆえに通気性がわるく、筺体内に差し入れた手や腕に相当な発汗を招く  ▲２▼筺体内部が狭いために、指や手を動かしにくく、操作性がわるい  ▲３▼演奏音の出口であるベルの開口部を筺体が近接して覆うため、特に低音域が出にくい  ▲４▼筺体内部に汗や唾，吐息の臭いが付着する  ▲５▼練習時には木管楽器を収納した消音具をベルトで首から吊すため、首に高負荷がかかり、長時間の練習には不向きある、という問題がある。
また、電気式である特許文献２の管楽器用消音機では、（イ）演奏音を人工音で打ち消すため、自然な演奏音が損なわれる  （ロ）既製の木管楽器に後付けできない  （ハ）スピーカーやマイク，集音器，コンピュータ，増幅アンプといった多数の部品を要するために、持ち運びが困難である  （ニ）非常に高価である、という問題がある。【０００４】  上記の問題点を解消するために、嵌合筒と該嵌合筒に設けられた弱音用空気抵抗部材とを有し、前記嵌合筒は、楽器本体とマウスピースとの間に介在する吹口部管の開口端部内に着脱自在に装着する両端開口の筒状弾性体であり、前記弱音用空気抵抗部材は、マウスピースから吹き込まれた息に抵抗を与えながら通すメッシュ状繊維を、前記嵌合筒の少なくとも一方の開口端部を塞ぐように、嵌合筒の軸芯方向に対して交差方向へシート状に張られるものであり、あるいはこのメッシュ状繊維を、前記嵌合筒の軸芯方向に帽子状に突出させてもよく、あるいは、このシート状のメッシュ状繊維と帽子状のメッシュ状繊維とを前記嵌合筒の双方の開口端部に設けた管楽器用弱音具が提案されており（例えば、特許文献３参照）、吹奏者がマウスピースから息を吹き込んだ際には、管楽器用弱音具の弱音用空気抵抗部材が吹き込んだ息を遮断して弱音用空気抵抗部材のマウスピース側の内圧を高め、その一部が空気抵抗部材の抵抗を受けながら楽器本体側へ通過することより、楽器本体の音孔や先端のベルから放出される音を普通の状態の時よりも弱い状態で聞こえるようにしている（特許文献３の公報、段落番号「００２３〜００２４」参照）。【０００５】
【特許文献１】  特許第４０６９９８５号公報
【特許文献２】  特開２００５−１２２０９９号公報
【特許文献３】  特許第３５１４９５４号公報
【発明の開示】
【発明が解決しようとする課題】
【０００６】  上記特許文献３の管楽器用弱音具は、マウスピースから吹き込んだ息が弱音用空気抵抗部材によって進路を妨げられるために、弱音用空気抵抗部材の上流側であるマウスピース側が大気圧よりも高い圧力室となり、弱音用空気抵抗部材の下流側である楽器本体側へは、この圧力室の内圧が弱音用空気抵抗部材の抵抗値以上に達した場合に、圧力空気の一部が流量を絞られながら一気に放出されるものであり、マウスピースからの息が自然に近い状態で楽器本体側へ吹き込まれるものではないから、木管楽器本来の音程やピッチ，音質（音色）が変化してしまう虞がある。【０００７】  また、弱音用空気抵抗部材の吹き込み抵抗により、吹奏者は通常よりも息を強く吹き込まなければならないから自然な吹奏感が損なわれるばかりか、吹奏者に疲労を与える原因となる。
さらに、上記圧力室の内圧は吹奏者の唇にも作用するため、吹奏者は圧力空気を唇から漏らさぬようにマウスピースを通常よりも強くくわえたり、唇とその周辺の筋肉の使い方を変えて対応しなくてはならないから、きれいな音を出すために重要なアンブッシャが崩れてしまい、よい練習とはならない。【０００８】  本発明は、かかる実情を背景にしてなされたもので、その目的とするところは、前記▲１▼〜▲５▼や（イ）〜（ニ）の解消はもとより、吹奏者に疲労を与えたりアンブッシャを崩すことがなく、また自然な吹奏感と木管楽器本来の音程やピッチ，音質を保ちつつ、高い消音効果の得られる木管楽器用消音具を安価に提供することにある。
【課題を解決するための手段】
【０００９】  上述の目的を達成するため、第１の発明は、木管楽器の吹き口近傍に設けられる木管楽器用消音具であって、該消音具は、網糸をランダムに交錯させてその内部にラビリンス状の空隙を連続させた三次元網目状の多孔質体を円柱体に形成してなり、この消音具が、前記吹き口と該吹き口の楽器本体側に連続する第１音孔との間の通気孔の内部に、円柱体形状を通気孔の軸線方向へ向けて着脱自在に装着されることを特徴としている。【００１０】  第２の発明は、前記第１の発明において、前記第１音孔と該第１音孔の楽器本体側に連続する第２音孔との間の通気孔の内部に、前記消音具と同様に三次元網目状の多孔質体を円柱体に形成した副消音具が、円柱体形状を通気孔の軸線方向へ向けて着脱自在に装着されることを特徴としている。【００１１】  第３の発明は、前記第１の発明または第２の発明において、前記消音具が、前記通気孔または前記吹込み孔に密着して設けられる円筒状のホルダに内挿されていることを特徴としている。
第４の発明は、前記第１の発明〜第３の発明のいずれかにおいて、前記消音具が、網目の密度と網糸の太さのいずれか一方または双方が異なる２種類の三次元網目状の多孔質体を複数個直列に配置されることを特徴としている。
第５の発明は、前記第１の発明〜第４の発明のいずれかにおいて、前記網糸を金属や合成樹脂，植物繊維のいずれかで形成し、該網糸をランダムに交錯させて形成される網目のそれぞれを３ｍｍ２〜１５ｍｍ２の面積となすとともに、前記消音具としての多孔質体の長さを８ｍｍ〜２０ｍｍに設定したことを特徴としている。【００１２】  三次元網目状の多孔質体でなる本発明の消音具や副消音具は、例えば、バネ鋼等の金属、ウレタン樹脂やビニル樹脂等の合成樹脂、シュロや麻，葦，ヘチマ等の植物繊維を材料とする細い網糸で、大小多数の網目を三次元方向へランダムに連ねた多孔質体で円柱体を形成する。網目の形状は成型方法や材料によって決定されるが、その多くは円形や長円形がゆがんだような形で、その他角張ったり曲線と直線とが混ざったいびつな形も含まれる。
このように形成される消音具は適度な弾性力を持つことから、サックスの通気孔やクラリネットの吹込み孔の内径よりもやや大径な円筒体に形成して通気孔や吹込み孔に圧縮しながら装着すると、楽器の動きにも安定した装着状態を保つ。また、消音具が多孔質体の材質や網糸の太さによって弾性力を持たない場合、あるいは弾性力を持つ材質であっても、通気孔や吹込み孔との間に隙間が生じないようこれらの内径と同径の円筒体に形成して用いることもできる。【００１３】  消音具として円柱体状の多孔質体をそのまま用いてもよいが、多孔質体を円筒状のホルダに内挿することにより、多孔質体を楽器の種類や消音の目的に応じて単品もしくは複数個直列に並べて用いることができ、複数の消音具を用いても楽器への着脱がワンタッチで行える。【００１４】  消音具を、網目の密度と網糸の太さのいずれか一方または双方が異なる２種類の三次元網目状の多孔質体に形成し、これらを複数個直列に配置することにより、単体での消音とは異なる高い消音効果が期待できる。
また、網糸を金属や合成樹脂，植物繊維のいずれかで形成し、該網糸をランダムに交錯させて形成される網目のそれぞれを３ｍｍ２〜１５ｍｍ２の面積となすとともに、前記消音具としての多孔質体の長さを８ｍｍ〜２０ｍｍとすることにより、より高い消音効果が期待できる。【００１５】  本発明の消音具を、第２音孔よりも手前の吹き口と第１音孔との間の通気孔に装着することにより、木管楽器の吹奏感や音程，ピッチ，音質に変化を与えにくくなる。消音具を装着した木管楽器の吹き口に吹奏者が息を吹き込んでこれが音として消音具に到達すると、その一部は多孔質体内部で三次元に拡がる網糸に当接してこの網糸を振動させながら吸収されて減衰し、その他の残りは網目内にラビリンス状に連続する空隙を通って多孔質体の奥へと進入していき、奥へ進入した一部は奥部の網目に当接して網糸を振動させながら吸収されて減衰する。
このように、消音具の多孔質体内部に進入した音は、ラビリンス状の空隙を通って多孔質体の奥部へ進入するにしたがって三次元網目状に張られた網糸への当接を繰り返すことにより徐々に減衰されていく。これにより、消音具を通過して楽器本体の内部に達する音量が抑制されるので、木管楽器の演奏音が小さく抑えられる。【００１６】  本発明は、吹き口から吹き込んだ空気が、音としてラビリンス状の空隙を通過しながら三次元網目状の細い網糸へ当接することによって徐々に減衰するので、演奏者の口元に抵抗感を与えることが少なく、吹き口への息の吹込みは、消音具を用いない場合と殆ど変わらない。【００１７】  さらに本発明は、吹き口と第１音孔との間の通気孔に消音具を装着するのに加えて、第１音孔と第２音孔との間の通気孔の内部に消音具と同様の副消音具を装着すると、なお一層の消音効果がある。また、副消音具を第２音孔よりも手前の第１音孔と第２音孔との間の通気孔に装着することにより、木管楽器の吹奏感や音程，ピッチ，音質への影響を避けることができる。
【発明の効果】
【００１８】  本発明の管楽器用消音具は、前記特許文献３のように消音具の上流側で圧力を高め、その圧力空気を消音具の下流側へ一気に放出するのではなく、多孔質体内部に進入した音をラビリンス状の空隙にムリなく通過させながら、三次元網目状に張られた網糸への当接を繰り返すことにより徐々に減衰して、木管楽器の演奏音を小さく抑えるものであり、これにより、前記▲１▼〜▲５▼や（イ）〜（ニ）の解消はもとより、吹奏者へ疲労を与えたりアンブッシャを崩すことがなく、また自然な吹奏感と木管楽器本来の音程やピッチ，音質を保ちながら、高い消音効果が得られる。さらに、材料が少量でその構成も単純であるから、木管楽器のユーザに安価に提供することができる。【００１９】  また、本発明の消音具を吹き口と第１音孔との間の通気孔に装着するのに加えて、第１音孔と第２音孔との間の通気孔の内部に、消音具と同様の副消音具を装着すると、吹奏感や音程，ピッチ，音質を損なうことなくなお一層の消音効果がある。
さらに、消音具としての多孔質体を円筒状のホルダに内挿することにより、多孔質体を楽器の種類や消音の目的に応じて単品もしくは複数個直列に並べて用いることにより消音効果を任意に決定することができ、しかも楽器への着脱が容易となる。【００２０】  さらに、消音具を網目の密度と網糸の太さのいずれか一方または双方が異なる２種類の三次元網目状の多孔質体に形成し、これらを複数個直列に配置することにより、単体での消音とは異なる高い消音効果が期待できる。
また、網糸を金属や合成樹脂，植物繊維のいずれかで形成し、該網糸をランダムに交錯させて形成される網目のそれぞれを３ｍｍ２〜１５ｍｍ２の面積となすとともに、前記消音具としての多孔質体の長さを８ｍｍ〜２０ｍｍとすることにより、より高い消音効果が期待できる。
【発明を実施するための最良の形態】
【００２１】  以下、本発明の木管楽器用消音具をサックスに適用した一実施例を図面に基づいて説明する。
図中、図１は消音具と副消音具を適用したサックスの要部断面図、図２はサックスの全体を示す概略図、図３は消音具とホルダの分解斜視図である。【００２２】  図１及び図２に示すサックス１は、楽器本体２と、該楽器本体２の基端側に着脱自在に嵌合されるネック３及びマウスピース４とからなり、楽器本体２とネック３及びマウスピース４の接続によってこれら内部の通気孔５ａ，５ｂ，５ｃが一体に連続する。マウスピース４の端部には吹き口４ａが通気孔５ａに連通して設けられ、またマウスピース４の一側部に沿ってリード６が固定バンド７を用いて着脱自在に取り付けられている。【００２３】  前記ネック３は、マウスピース接続側から楽器本体接続側へ向けてわずかに拡径する円筒管の中間部より楽器本体側を湾曲させて形成されている。ネック３の中間部よりややマウスピース側の外周面には、本発明の第１音孔となるオクターブキー孔８が内部の通気孔５ｂに連通して設けられており、オクターブキー孔８の開口はタンポ９にて開閉自在に覆われている。
前記楽器本体２には、内部の通気孔５ｃに連通し、かつ開口をタンポ１０にて開閉自在に覆われる第２音孔１１がネック寄りの外周面に設けられるほか、先端のベル２ａ側へ向けて第３音孔以下の複数の音孔（いずれも図示しない）が設けられている。【００２４】  前記吹き口４ａと第１音孔となるオクターブキー孔８との間の通気孔５ｂに位置するネック３のマウスピース側端部には、消音具ユニット２０が着脱自在に装着され、また第１音孔となるオクターブキー孔８と第２音孔１１との間の通気孔５ｂに位置するネック３の楽器本体側端部には、副消音具ユニット２１が着脱自在に装着されている。消音具ユニット２０は、３つの消音具２２とこれを収容するホルダ２３とで構成され、また副消音具ユニット２１は、３つの副消音具２４とこれを収容するホルダ２５とで構成されている。【００２５】  消音具２２と副消音具２４のそれぞれは、例えば、バネ鋼等の金属、ウレタン樹脂やビニル樹脂等の合成樹脂、シュロや麻，葦，ヘチマ等の植物繊維のいずれかを材料とする細い網糸を材料に成形して円柱状の多孔質体に形成されており、多孔質体の内部は大小多数の網目と空隙とが三次元方向へランダムに連続するものとなっている。
またホルダ２３，２５のそれぞれは、軟質または硬質の合成樹脂を材料に、消音具２２と副消音具２４を３つずつ収容できる長さの円筒状に形成されており、その外周面にはネック３へ内挿する際の位置決めと取り外し用のつまみとを兼ねたフランジ２３ａ，２５ａが周設されている。【００２６】  消音具ユニット２０を使用する場合には、マウスピース４を接続する前にネック３のマウスピース側端部に、消音具２２の円柱体形状をネック３の軸線方向へ向けて装着し、また副消音具ユニット２１は、楽器本体２を接続する前にネック３の楽器本体側端部に、各副消音具２４の円柱体形状をネック３の軸線方向へ向けて装着したのち、楽器本体２とネック３とマウスピース４とをサックス１として一体に接続する。
なお、消音具ユニット２０と副消音具ユニット２１は、消音具２２と副消音具２４をそれぞれ３つずつ使用するばかりでなく、１つまたは２つをホルダ２３，２５に収容して使用することも可能で、演奏する環境や楽器の種類あるいは演奏者の好みに応じて１つ〜３つの範囲で適宜選択することができる。【００２７】  つぎに、以上のように構成される本実施例の作用を説明する。
消音具ユニット２０と副消音具ユニット２１とを装着したサックス１のマウスピース４を演奏者がくわえて息を吹き込むと、リード５が振動して所定音量の音が発生し、その音はマウスピース４の吹き口４ａから通気孔５ａを通してネック３のマウスピース側端部に装着した消音具ユニット２０に進入する。【００２８】  消音具２２に進入した音は、その一部が多孔質体内部で三次元に拡がる網糸に当接してこの網糸を振動させながら吸収されて減衰し、その他の残りは網目内にラビリンス状に連続する空隙を通って多孔質体の奥へと進入していき、奥へ進入した一部は奥部の網目に当接して網糸を振動させながら吸収されて減衰していく。
このように、消音具２２の多孔質体内部に進入した音は、ラビリンス状の空隙を通って多孔質体の奥部へ進入し、進入していくにしたがって三次元網目状に張られた網糸への当接を繰り返すことにより徐々に減衰されていき、消音具ユニット２０の３つの消音具２２を抜け出てネック３の通気孔５ｂの中間部へ到達する。【００２９】  通気孔５ｂの中間部へ達した音は、さらにネック３の楽器本体側端部に装着した副消音具ユニット２１に進入し、３つの副消音具２４にて多孔質体内部の空隙を通りながら、網糸との当接による振動と吸収を同様に繰り返してさらに減衰され、副消音具ユニット２１を抜け出て楽器本体の通気孔５ｃに到達する。
楽器本体２の通気孔５ｃに達した音は、消音具ユニット２０の消音具２２と副消音具ユニット２１の副消音具２４をそれぞれ３つずつ通過しているために音量が減衰しており、ベル２ａや第２音孔１１，その他の音孔から放出される演奏音が小さく抑制されたものとなる。【００３０】  つぎに、本実施例に基づいて行った実験例を説明する。
（実験例１）
消音具…太さ０．３ｍｍのウレタン樹脂製の網糸を使用し、網目の大きさ（面積）が５ｍ        ｍ２〜１５ｍｍ２の三次元網目状の多孔質体を、直径１３ｍｍ×長さ２０ｍｍの          円柱体に成形
楽  器…アルトサックス
サウンドレベルメータ…興和精機株式会社製  製品番号…ＫＮ−７−２
上記の消音具をホルダに３つ収納して消音具ユニットとし、この消音具ユニットを、アルトサックスの吹き口と第１音孔との間の通気孔に位置するネックのマウスピース側の端部に装着し、曲を演奏して消音具なしのアルトサックスと比較した。
サウンドレベルメータを規定の測定位置であるアルトサックスのベルの前方１ｍの位置に置いて計測した。【００３１】（結果）
消音具なし…８５ｄｂ〜９５ｄｂ        消音具あり…７０ｄｂ〜８０ｄｂ
消音具なしの測定値８５ｄｂ〜９５ｄｂは、ガード下やゲームセンターの８０ｄｂと同等乃至はこれを越える騒音であるのに対し、消音具を使用した本実験例の測定値７０ｄｂ〜８０ｄｂは、１ランク〜１．５ランク程度下のバスの車内や在来線の車内，デパートの地下程度にとどまることが確認できた。これにより、近隣周辺への騒音被害を極力抑えつつ、木管楽器を練習する場所を拡げることができる。
【図面の簡単な説明】
【００３２】
【図１】本発明の一実施例を示す消音具と副消音具を適用したサックスの要部断面図である。
【図２】本発明の一実施例を示すサックスの全体を示す概略図である。
【図３】本発明の一実施例を示す消音具ユニットの分解斜視図である。
【符号の説明】
【００３３】  １…サックス
２…楽器本体
２ａ…ベル
３…ネック
４…マウスピース
５ａ，５ｂ，５ｃ…通気孔
６…リード
８…オクターブキー孔（本発明の第１音孔）
１１…第２音孔
２０…消音具ユニット
２１…副消音具ユニット
２２…消音具
２４…副消音具
２３，２５…ホルダ
【図１】
2010085960.tif 000003
【図２】
2010085960.tif 000004
【図３】
2010085960.tif 000005
【手続補正書】
【提出日】平成21年2月24日(2009.2.24)
【手続補正２】
【補正対象書類名】特許請求の範囲
【補正対象項目名】全文
【補正方法】変更
【補正の内容】
【特許請求の範囲】
【請求項１】
木管楽器の吹き口近傍に設けられる木管楽器用消音具であって、
該消音具は、網糸をランダムに交錯させてその内部にラビリンス状の空隙を連続させた三次元網目状の多孔質体を円柱体に形成してなり、
この消音具を、前記吹き口と該吹き口の楽器本体側に連続する第１音孔との間の通気孔の内部に、円柱体形状を通気孔の軸線方向へ向けて着脱自在に装着することにより、
前記吹き口から吹き込まれた空気が、前記多孔質体の内部で三次元方向へランダムに連続する大小多数の空隙を通りながら三次元網目状に張られた網糸を振動させる
ことを特徴とする木管楽器用消音具。
【請求項２】
前記第１音孔と該第１音孔の楽器本体側に連続する第２音孔との間の通気孔の内部に、前記消音具と同様に三次元網目状の多孔質体を円柱体に形成した副消音具が、円柱体形状を通気孔の軸線方向へ向けて着脱自在に装着される
ことを特徴とする請求項１に記載の木管楽器用消音具。
【請求項３】
前記消音具は、前記通気孔または前記吹込み孔に密着して設けられる円筒状のホルダに内挿されている
ことを特徴とする請求項１または２に記載の木管楽器用消音具。
【請求項４】
前記消音具は、網目の密度と網糸の太さのいずれか一方または双方が異なる２種類の三次元網目状の多孔質体を複数個直列に配置される
ことを特徴とする請求項１〜３のいずれかに記載の木管楽器用消音具。
【手続補正３】
【補正対象書類名】明細書
【補正対象項目名】０００９
【補正方法】変更
【補正の内容】
【０００９】  上述の目的を達成するため、第１の発明は、木管楽器の吹き口近傍に設けられる木管楽器用消音具であって、該消音具は、網糸をランダムに交錯させてその内部にラビリンス状の空隙を連続させた二次元網目状の多孔質体を円柱体に形成してなり、この消音具を、前記吹き口と該吹き口の楽器本体側に連続する第１音孔との間の通気孔の内部に、円柱体形状を通気孔の軸線方向へ向けて着脱自在に装着することにより、前記吹き口から吹き込まれた空気が、前記多孔質体の内部で三次元方向へランダムに連続する大小多数の空隙を通りながら三次元網目状に張られた網糸を振動させることを特徴としている。
【手続補正４】
【補正対象書類名】明細書
【補正対象項目名】００１１
【補正方法】変更
【補正の内容】
【００１１】  第３の発明は、前記第１の発明または第２の発明において、前記消音具が、前記通気孔または前記吹込み孔に密着して設けられる円筒状のホルダに内挿されていることを特徴としている。
第４の発明は、前記第１の発明〜第３の発明のいずれかにおいて、前記消音具が、網目の密度と網糸の太さのいずれか一方または双方が異なる２種類の三次元網目状の多孔質体を複数個直列に配置されることを特徴としている。
【手続補正５】
【補正対象書類名】明細書
【補正対象項目名】００２０
【補正方法】変更
【補正の内容】
【００２０】  さらに、消音具を網目の密度と網糸の太さのいずれか一方または双方が異なる２種類の三次元網目状の多孔質体に形成し、これらを複数個直列に配置することにより、単体での消音とは異なる高い消音効果が期待できる。